【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
選択的水素化触媒の作製方法であって、担体をパラジウム含有化合物と接触させ、パラジウム担持組成物を形成すること、前記パラジウム担持組成物を有機リン化合物及び弱酸と接触させ、選択的水素化触媒組成物を形成し、ここで、前記弱酸が、１：１〜３：１の有機リン化合物に対する弱酸のモル比を提供する量で存在すること、ならびに、前記選択的水素化触媒組成物を還元し、当該選択的水素化触媒を形成することを含む、前記方法。
【請求項２】
請求項１に記載の方法であって、前記有機リン化合物が一般式（Ｒ）ｘ（ＯＲ‘）ｙＰ＝Ｏによって表され、式中、ｘ及びｙは０〜３の範囲の整数であり、ｘとｙの和は３であり、各Ｒは水素、ヒドロカルビル基、又はその組み合わせであり、各Ｒ’はヒドロカルビル基である、前記方法。
【請求項３】
前記有機リン化合物が、ホスフィンオキシド、ホスフィナート、ホスホネート、リン酸塩、又はその組み合わせを含む、請求項１又は２に記載の方法。
【請求項４】
請求項１〜３のいずれかに記載の方法であって、前記有機リン化合物が一般式（Ｒ）ｘ（ＯＲ‘）ｙＰによって表される有機リン化合物前駆体の産生物であり、式中、ｘ及びｙは０〜３の範囲の整数であり、ｘとｙの和は３であり、各Ｒは水素、ヒドロカルビル基、又はその組み合わせであり、各Ｒ’はヒドロカルビル基である、前記方法。
【請求項５】
前記有機リン化合物前駆体が、亜リン酸エステル、亜ホスホン酸エステル、亜ホスフィン酸エステル、ホスフィン、有機ホスフィン又はその組み合わせを含む、請求項４に記載の方法。
【請求項６】
前記有機リン化合物が約１００℃超の沸点を有する、請求項１〜５のいずれかに記載の方法。
【請求項７】
前記有機リン化合物が約１００℃以下の沸点を有する、請求項１〜６のいずれかに記載の方法。
【請求項８】
前記弱酸が、ホウ酸、カルボン酸、又はその組み合わせを含む、請求項１〜７のいずれかに記載の方法。
【請求項９】
請求項１〜８のいずれかに記載の方法であって、前記弱酸がアクリル酸、メタクリル酸、マロン酸、コハク酸、サリチル酸、アジピン酸、マレイン酸、リンゴ酸、オレイン酸、没食子酸、酒石酸、クエン酸、ギ酸、酢酸、グリコール酸、シュウ酸、酒石酸、デキスト酒石酸、メソ酒石酸、プロピオン酸、フタル酸、イソフタル酸、グルタル酸、グルコン酸、乳酸、アスパラギン酸、グルタミン酸、イタコン酸、トリフルオロ酢酸、バルビツール酸、桂皮酸、安息香酸、４−ヒドロキシ安息香酸、アミノ安息香酸、フェノール、ピロガロール（ベンゼン−１，２，３−トリオール）、ピロカテコール（ベンゼンジオール）、オルガノボロン酸、又はその組み合わせを含む、前記方法。
【請求項１０】
前記弱酸が、酸解離定数ｐＫａ値が水中、約２〜約１２の範囲にあることを特徴とする、請求項１〜９のいずれかに記載の方法。
【請求項１１】
前記弱酸が、選択的水素化触媒の総重量に対する使用される弱酸の解離されたプロトン形態における水素の重量に基づいて、約０．０００１６重量％〜約０．１６重量％の量で存在する、請求項１〜１０のいずれかに記載の方法。
【請求項１２】
前記パラジウム含有化合物が、前記選択的水素化触媒の総重量に基づいて、約０．００５重量％〜約５重量％Ｐｄの量で存在し、前記有機リン化合物が、選択的水素化触媒の総重量に基づいて、約０．００５重量％〜約５重量％の量で存在する、請求項１〜１１のいずれかに記載の方法。
【請求項１３】
前記選択的水素化触媒が１つ又は複数の選択性賦活薬を含む、請求項１〜１２のいずれかに記載の方法。
【請求項１４】
前記１つまたは複数の選択性賦活薬が、１Ｂ族金属、１Ｂ族金属化合物、銀化合物、フッ素、フッ化物化合物、硫黄、硫黄化合物、アルカリ金属、アルカリ金属化合物、アルカリ土類金属、アルカリ土類金属化合物、ヨウ素、ヨウ素化合物、及びその組み合わせから成る群から選択される、請求項１３に記載の方法。
【請求項１５】
前記銀化合物が、銀単体、硝酸銀、酢酸銀臭化銀、塩化銀、ヨウ化銀、フッ化銀、又はその組み合わせをさらに含む、請求項１４に記載の方法。
【請求項１６】
前記選択性賦活薬が、前記担体に基づいて、約０．００５重量％〜約５重量％の量で存在する、請求項１３〜１５のいずれかに記載の方法。
【請求項１７】
前記アルカリ金属化合物が、アルカリ金属単体、アルカリ金属フッ化物、アルカリ金属塩化物、アルカリ金属臭化物、アルカリ金属ヨウ化物、アルカリ金属酸化物、アルカリ金属炭酸塩、アルカリ金属硫酸塩、アルカリ金属リン酸塩、アルカリ金属ホウ酸塩、フッ化カリウム、又はその組み合わせを含む、請求項１４に記載の方法。
【請求項１８】
前記アルカリ金属化合物が、選択的水素化触媒の総重量に基づいて約０．０１重量％〜約５重量％の量で存在する、請求項１７に記載の方法。
【請求項１９】
約０．１〜約１００時間、約０℃〜約１５０℃の温度で、前記選択的水素化触媒前駆体を乾燥させることをさらに含む、請求項１〜１８のいずれかに記載の方法。
【請求項２０】
前記担体が１つ又は複数のアルミナ、シリカ、チタニア、ジルコニア、アルミノケイ酸塩、スピネル、又はその組み合わせを含む、請求項１〜１９のいずれかに記載の方法。
【請求項２１】
請求項１から２０のいずれかに記載の方法に従って調製される、選択的水素化触媒。
【請求項２２】
（ｉ）パラジウム及び担体を含む担持水素化触媒を含み、ここで前記担持水素化触媒が、高度不飽和炭化水素を不飽和炭化水素に選択的に水素化することができ、前記担体が約２ｍ２／ｇ〜約１００ｍ２／ｇの表面積を有し、約９０重量％超のパラジウムが、担体の周囲近傍に濃縮され、ならびに（ｉｉ）有機リン化合物及び弱酸を含み、前記弱酸が、１：１〜３：１の有機リン化合物に対する弱酸のモル比を提供する量で存在する、組成物。
【請求項２３】
前記有機リン化合物は、ホスフィンオキシド、ホスフィナート、ホスホネート、リン酸塩、又はその組み合わせを含む、請求項２２に記載の組成物。
【請求項２４】
請求項２２〜２３のいずれかに記載の組成物であって、前記有機リン化合物が一般式（Ｒ）ｘ（ＯＲ'）ｙＰによって表される有機リン化合物前駆体の産生物であり、式中、ｘ及びｙは０〜３の範囲の整数であり、ｘとｙの和は３であり、各Ｒは水素、ヒドロカルビル基、又はその組み合わせであり、各Ｒ’はヒドロカルビル基である、前記組成物。
【請求項２５】
前記有機リン化合物前駆体が、亜リン酸エステル、亜ホスホン酸エステル、亜ホスフィン酸エステル、ホスフィン、有機ホスフィン又はその組み合わせを含む、請求項２４に記載の組成物。
【請求項２６】
１Ｂ族金属、１Ｂ族金属化合物、銀化合物、フッ素、フッ化物化合物、硫黄、硫黄化合物、アルカリ金属、アルカリ金属化合物、アルカリ土類金属、アルカリ土類金属化合物、ヨウ素、ヨウ素化合物、及びその組み合わせをさらに含む、請求項２２〜２５のいずれかに記載の組成物。
【請求項２７】
前記ホスフィンオキシドが、トリブチルホスフィンオキシド、トリエチルホスフィンオキシド、トリヘプチルホスフィンオキシド、トリメチルホスフィンオキシド、トリオクチルホスフィンオキシド、トリペンチルホスフィンオキシド、トリプロピルホスフィンオキシド、トリフェニルホスフィンオキシド又はその組み合わせを含む、請求項２２〜２６のいずれかに記載の組成物。
【請求項２８】
前記弱酸がホウ酸、カルボン酸、又はその組み合わせを含む、請求項２２〜２７のいずれかに記載の組成物。
【請求項２９】
請求項２２〜２８のいずれかに記載の組成物であって、前記弱酸がアクリル酸、メタクリル酸、マロン酸、コハク酸、サリチル酸、アジピン酸、マレイン酸、リンゴ酸、オレイン酸、没食子酸、酒石酸、クエン酸、ギ酸、酢酸、グリコール酸、シュウ酸、酒石酸、デキスト酒石酸、メソ酒石酸、プロピオン酸、フタル酸、イソフタル酸、グルタル酸、グルコン酸、乳酸、アスパラギン酸、グルタミン酸、イタコン酸、トリフルオロ酢酸、バルビツール酸、桂皮酸、安息香酸、４−ヒドロキシ安息香酸、アミノ安息香酸、フェノール、ピロガロール（ベンゼン−１，２，３−トリオール）、ピロカテコール（ベンゼンジオール）、オルガノボロン酸、又はその組み合わせを含む、前記組成物。
【請求項３０】
前記弱酸が、酸解離定数ｐＫａ値が水中、約２〜約１２の範囲にあることを特徴とする、請求項２２〜２９のいずれかに記載の組成物。